(57)【要約】【課題】ラップの切り離しを容易とし、更には、湿気による張り付きなどに対処したラップの収納箱を提供すること。【解決手段】箱主体と、この箱主体の上方に開閉自在に設けられた蓋体と、蓋体の先端部に設けられ引き出されたラップを切断する切断部と箱主体の前面板に切断部と交差しつ、且つ、箱主体長手方向の略中央部分に設けられた指用凹所部とを有し、且つ、前記切断部の一部をこの指用凹所部方向に折り曲げるようにラップ収納箱を構成したこと。【選択図】    図１
2004276948.tif 000002
【特許請求の範囲】
【請求項１】
箱主体と、この箱主体の上方に、開閉自在に設けられた蓋体と、蓋体の先端部に設けられ、引き出されたラップを切断する切断部と、箱主体の前面板に切断部と交差しつ、且つ箱主体長手方向の略中央部に設けた指用凹所部とを有し、且つ、前記切断部の一部をこの指用凹所部方向に折り曲げるように構成したラップ収納箱。
【請求項２】
請求項１記載のラップ収納箱に於いて
指用凹所部は開放しているものであるラップ収納箱。
【請求項３】
請求項１記載のラップ収納箱に於いて
箱主体の蓋体の先端に設けられた切断部は中央部から端方向にテーパ状に形成されているものであるラップ収納箱。
【請求項４】
請求項１記載のラップ収納箱に於いて
箱主体の蓋体の先端に設けられた切断部は、前面板自身に鋸歯状の切り刃を形成するか、あるいは金属性の鋸歯状の切り刃を前面板に別部品として所望の取り付け手段によって設けたものであるラップ収納箱。
【請求項５】
箱主体と、この箱主体の上方に、開閉自在に設けられた蓋体と、蓋体の先端部に設けられ、引き出されたラップを切断する切断部とを有し、且つ、前記切断部の一部を箱主体方向に折り曲げるように構成したラップ収納箱。
【発明の詳細な説明】
【０００１】
【発明の属する技術分野】
本発明はラップ収納箱に属し、更に詳しくは、ラップの切り離しや引き出しが容易なラップ収納箱に関するものである。
【０００２】
【従来の技術】
【特許文献１】特開平１１−３６６０８０号
食品を容−器に入れ冷蔵紺などにて保存するときや、電子レンジにて加熱調理するときなどに、容器の上面をラップにて覆い、食品の水分蒸発や品質の低下を極力防止するために用いられている。
【０００３】
ラップは通常収納箱に収納されており、使用時に所望の量だけ収納箱から引き出して使用されるものである。
【０００４】
【発明が解決しようとする課題】
前記従来技術に於いて、実際の使用時に収納箱前面板に水滴が付着したりすると、ラップは箱前面板に密着状態に張り付いてしまい、次なる使用の取り扱いを困難なものとさせている。
【０００５】
これらに対処する為、当発明者はラップの引き剥がしを容易にするために前記特許文献１記載の発明を提案した。
【０００６】
この提案によってラップの引き剥がしについては解決されたが、ラップの切断についての検討は充全には行われていない。
【０００７】
一方、ラップは一部に切れ目が生じると、それを起点として容易に切断できる性質を有しているものである。
【０００８】
本発明は、いわゆるカッティング性を向上することを主たる目的とし、次いで、本発明者が提案している引き剥がし容易性に加え、この性質を利用して更なるカッティング性を向上するラップ収納箱を提供することを目的としてなされたものである。
【０００９】
【課題を解決するための手段】
前記課題は、箱主体と、この箱主体の上方に、開閉自在に設けられた蓋体と、蓋体の先端部に設けられ、引き出されたラップを切断する切断部とを有し、且つ、前記切断部の一部を箱主体方向に折り曲げるように収納箱を構成すること、あるいは、箱主体と、この箱主体の上方に、開閉自在に設けられた蓋体と、蓋体の先端部に設けられ、引き出されたラップを切断する切断部と、箱主体の前面板に切断部と交差しつ、且つ箱主体長手方向の略中央部に設けた指用凹所部とを有し、且つ、前記切断部の一部をこの指用凹所部方向に折り曲げるようにラップ収納箱を構成することにて達成される。
【００１０】
【発明の実施の形態】
以下本発明の実施の形態について図を参照して説明する。
【００１１】
図は本発明の一実施例を示すもので、図１は本発明の一実施形態の収納箱の蓋体を開いた状態の斜面図、図２は同じく蓋を閉じた状態の斜面図、図１１は収納箱の展開図である。
【００１２】
収納箱は、図１１のように裁断されたやや厚めの紙から構成される。この図で点線は谷折の部分で、図示上で、それぞれ左右の耳部分は糊付けに供される。
【００１３】
図でロ、ハ及び二の部分はラップロールＷを収納する箱主体１を構成する。
【００１４】
ホとへは蓋体２を構成する。符号３で示す点線部分が箱主体１と蓋体２を開閉自在に接続するヒンジとなる。
【００１５】
イはラップの巻き戻りや飛び出しを防止する部分である。
【００１６】
４は蓋体２の先端部に金属で形成されたカッター４で、引き出されたラップを、所望の長さに切断するものである。但し、への紙材が相当硬質の場合は、紙材そのものに鋸状刃を形成し、このカッター４を省略することができる。以降、これらの鋸歯状刃等はカッター４で総称する。
【００１７】
図３において、ロで構成される前面板６に押し出しによって形成された指用凹所部５で、その大きさは少なくとも人差し指の指先の挿入が可能な寸法とされている。又、その位置は、図２に示すように蓋体２を閉じた状態で、カッター４の略中央部分と交差する位置とする。
【００１８】
言い換えれば、この位置は切断されたラップ端面線と交差する位置とも言え、又、この位置は箱主体１の長手方向の中央あるいは中央付近である。この位置は掴んだラップの引き出しをスムースに行える位置である。
【００１９】
この構成により、指を指用凹所部５に容易に挿入することができるので、切断後の前面板６にラップが完全に密着したとしても、切断されたラップの端を指で剥離し容易につかむことを可能とする。
【００２０】
この指用凹所部５は、前面板６を手前からの押し出しによって形成してあるので、外気や虫が収納箱に入ることがなく衛生的である。
【００２１】
又、指用凹所部５の底部が指を挿入するときのガイドになって、前記のように、ラップの端部を剥がしスムースにつかむことが出来、これによってラップの引き出しを容易に行うことが出来る。
【００２２】
次に指用凹所部５の他の実施形態について説明する、
図５は前面板６に穴５１を開け、別途紙で構成した覆い部材５２を穴５１の裏面外周に糊付けしたものである。又、外気や虫の侵入が防止されるので衛生的である。
【００２３】
図４は、指用凹所部５の底部を、収納箱の底辺まで切り込み、その裏面に覆い部材５２を接着剤等によって接着したものである。この構成は、この切り込みが収納箱の底部に達しているので切断されたラップの端をつかむことが更に容易である。又、前記と同様、外気や虫の侵入が防止されるので衛生的である。
【００２４】
図６は、前面板６に穴を開け、前記紙材に代えて発砲スチロールで形成した覆い部材５２を穴の裏面外周に貼着したものである。
【００２５】
図７は前面板６に２本の切込みを開け、２本の切り込み間を裏面に押し出し形成し、覆い部材５２を形成したものである。この構成は前記図４乃至図６に示した構成に比して製造が容易な反面、外気の流入がフリーとなり、又、虫やゴミの侵入を否定できない。
【００２６】
図８は、前記同様前面板６に２本の切込みを開け、２本の切り込み間部分を裏面に押し出し、一方を図に示すように切断して形成したものである。この構成によれば、図７に比較して、指用凹所部５を深く形成することが出来る効果がある。
【００２７】
前述のように、指用凹所部５は種々の形態が考えられる。
【００２８】
次に、蓋体２先端部に設けられる切断部となるカッター４の構成を説明する。
【００２９】
前記蓋体２の先端部に設けられるカッター４は、元来、収納箱とは別途に構成され、後に蓋体の先端部に取り付けられるものである。
【００３０】
次に、カッター４自身の形状について説明する。
【００３１】
カッター４は、主に金属板に鋸歯を形成して構成されるが、一部には箱自身に鋸歯が構成されたものもある。
【００３２】
図９は、カッター４の略中央部の一定部分に折り曲げ部を設け、この折り曲げ部を、先端に丸みを有した半円形状４−１に構成した状態を示したものである。
【００３３】
この半円形状４−１は、箱主体１の前面板６に設けられた、指用凹所部５に入り込む形状となされている。
【００３４】
図１０は、他の例を示すもので、この折り曲げ部を、前記の指用凹所部５方向に向け先端を鋭角４−２に構成したものである。
【００３５】
前記構成のうち、前者の半円形状４−１は全体的にゆるいカーブを描いているので、使用時において指等の素手への損傷を招くことが防止され、安全性の高いものとなっている。
【００３６】
一方、後者の先端部を鋭利に形成した方が、ラップ面に切り離しの起点を設ける点では有利であるが、使用時に鋭利部分による指等の素手への損傷等が予想され、安全性においては不利である。
【００３７】
前記構成で当発明者がカッティング性について検証したところ、両者に実用上の特段の相違は認められず、安全性から前者の構成が有利であることが確認された。
【００３８】
尚、前述以外の指用凹所部５に入り込む折り曲げ部の形状は、本発明の対象とするものである。
【００３９】
前記構成によれば、カッター４に折り曲げ部を設けたので、この折り曲げ部によってラップに切り込みが施され、この部分から端方向へ切込みが走り、結果としてラップが容易に切り離されるので、ラッピングが向上する。
【００４０】
更に、前記に加え、指用凹所部５との作用と相俟ってラップの引き剥がしを容易にしているので、更にラッピングを容易に行うことができるものである。
【００４１】
尚、前記一実施形態のほかに応用形態や変形例も考えられるが、これらも本発明の技術的範囲内に入るものである。
【００４２】
【発明の効果】
以上述べたように本発明は、折り曲げ部によってカッティング性を向上することができ、更に指用凹所部の作用と相俟って引き剥がしが容易になり、更なるカッティング性を向上したラップ収納箱を提供することができたものである。
【図面の簡単な説明】
【図１】本発明の一実施形態を示すもので、蓋体を開いた状態の斜視図。
【図２】同じく蓋体を閉じた状態の斜視図。
【図３】同じく指用凹所部付近の断面図。
【図４】同じく他の実施形態の指用凹所部付近の断面図。
【図５】同じく他の実施形態の指用凹所部付近の断面図。
【図６】同じく他の実施形態の指用凹所部付近の断面図。
【図７】同じく他の実施形態の指用凹所部付近の断面図。
【図８】同じく他の実施形態の指用凹所部付近の断面図。
【図９】同じくカッターに一実施例の形状構成を施した状態の単体平面図。
【図１０】同じくカッターに他の実施例の形状構成を施した状態の単体平面図。
【図１１】本発明の一実施形態を示すもので、収納箱の組み立て前の展開図。
【符号の説明】
１−−−−−箱主体、    ２−−−−−蓋体、    ３−−−−ヒンジ、    ４−−−−カッター
５−−−−−−指用凹所部、    ６−−−−−前面版、    ５１−−−−−穴
５２−−−−−−覆い部材、    ４−−−−−１半円形状
【図１】
2004276948.tif 000003
【図２】
2004276948.tif 000004
【図３】
2004276948.tif 000005
【図４】
2004276948.tif 000006
【図５】
2004276948.tif 000007
【図６】
2004276948.tif 000008
【図７】
2004276948.tif 000009
【図８】
2004276948.tif 000010
【図９】
2004276948.tif 000011
【図１０】
2004276948.tif 000012
【図１１】
2004276948.tif 000013